(57)【特許請求の範囲】
【請求項１】
シンクロモードを設定可能な操作手段と、
前記操作手段の操作継続中に、前記シンクロモードの内容を変更するために操作される選択手段と、
格納位置とアップ使用位置のいずれかに位置することが可能な内蔵閃光装置と、
前記内蔵閃光装置を自動的にアップ使用位置に駆動する機能を備える露出制御モードである第一モードおよび前記第一モード以外のモードのうちから１つのモードを設定する設定手段と、
前記設定手段により前記第一モード以外のモードが設定されているときに前記操作手段が操作された場合には、前記内蔵閃光装置を格納位置からアップ使用位置に駆動するアップ駆動手段と、
を備え、
前記設定手段により前記第一モードが設定されているときに前記操作手段が操作された場合には前記アップ駆動手段を用いて前記内蔵閃光装置をアップ使用位置に駆動する起動を行わないとともに、前記操作手段の操作継続中に前記選択手段が操作された場合には前記シンクロモードの内容を変更することを特徴とする撮影情報設定装置を有するカメラ。
【請求項２】
請求項１に記載のカメラにおいて、
前記選択手段は、右回転および左回転により回転操作可能なダイヤルであり、
前記シンクロモードの内容は、少なくとも３つ以上の内容を含み、
前記選択手段による操作が右回転である場合の前記３つ以上の内容の変更順序と、前記選択手段による操作が左回転である場合の前記３つ以上の内容の変更順序とは逆の順序であることを特徴とするカメラ。
【発明の詳細な説明】
【０００１】
【発明の属する技術分野】
本発明は、撮影情報設定装置を有するカメラに関する。
【０００２】
【従来の技術】
従来のカメラにおいて、撮影情報の一種であるシンクロモードの設定変更を行うには、専用のシンクロモード釦の操作と、数種のシンクロモードの中からモード選択または変更を行うコマンドダイヤルの併用操作とによって実現していた。
また、内蔵閃光装置をポップアップさせアップ使用位置に起動する手段は、内蔵閃光装置をアップ方向に付勢するアップバネ、アップバネによる内蔵閃光装置の付勢を格納位置で係止する係止機構、係止機構を解除するための係止解除機構、係止解除機構を起動する起動手段にて構成される。ここで、起動手段は、メカ係止解除部材の釦であったり、係止機構を電気的に起動する電気スイッチであった。つまり、メカまたは電気のいずれの手段であっても、起動手段はシンクロモード釦以外の専用の起動操作部材が存在していた。
【０００３】
【発明が解決しようとする課題】
しかしながら、専用のシンクロモード釦及び係止解除機構を起動する起動操作部材をそれぞれを単独に有し、かつ配置することは、釦や操作部材の設置場所の確保及び構成部品入手／組み込みの各点から、カメラの小型化推進の障害及びコストアップになってしまう点で改善余地があった。
【０００４】
本発明は、上記の問題点に鑑みてなされたもので、部品点数の削減によるカメラの小型化及びコスト抑制を図ると共に、操作部材の操作性を向上させることを目的とする。
【０００５】
【課題を解決するための手段】
請求項１に記載の撮影情報設定装置を有するカメラは、シンクロモードを設定可能な操作手段と、前記操作手段の操作継続中に、前記シンクロモードの内容を変更するために操作される選択手段と、格納位置とアップ使用位置のいずれかに位置することが可能な内蔵閃光装置と、前記内蔵閃光装置を自動的にアップ使用位置に駆動する機能を備える露出制御モードである第一モードおよび前記第一モード以外のモードのうちから１つのモードを設定する設定手段と、前記設定手段により前記第一モード以外のモードが設定されているときに前記操作手段が操作された場合には、前記内蔵閃光装置を格納位置からアップ使用位置に駆動するアップ駆動手段と、を備え、前記設定手段により前記第一モードが設定されているときに前記操作手段が操作された場合には前記アップ駆動手段を用いて前記内蔵閃光装置をアップ使用位置に駆動する起動を行わないとともに、前記操作手段の操作継続中に前記選択手段が操作された場合には前記シンクロモードの内容を変更することを特徴とする。
【００１１】
【発明の実施の形態】
以下、本発明の実施の形態を図面に基づいて説明する。
【００１２】
図１は、本発明による撮影情報設定装置を有するカメラの一実施形態を示すブロック結線図である。
【００１３】
図１において、マイクロコンピュータ１はカメラ全体の動作を制御する。内蔵閃光制御回路２は、発光管３を閃光させる制御を行う。赤目軽減ランプ駆動回路４は、発光管３の閃光に先駆けて赤目軽減の目的で赤目軽減ランプ５を駆動する。赤目軽減機能の設定は、後述の設定部材の操作によって行うことができる。
【００１４】
表示制御回路６は、通常の撮影情報の表示及びシンクロモードの設定内容の表示を表示ＬＣＤ７に表示する。コマンドダイヤル８は、ダイヤルスイッチ９及び１０に連動し、コマンドダイヤル８の回転量及び回転方向をマイクロコンピュータ１に伝達する。シンクロスイッチ１１は、カメラ外部に配設されている操作部材の操作に連動してスイッチングするシンクロスイッチで、操作中はオンし、操作解除にてオフする。アップ検出スイッチ１２は、後述の内蔵閃光装置ケースのアップ動作に連動してスイッチングするスイッチで、内蔵閃光装置ケースの収納状態ではオフし、アップ使用位置ではオンする。内蔵閃光装置アップ駆動手段１３は、内蔵閃光装置をアップさせるための起動源となるポップアップマグネット１４を駆動する。露出制御モード設定手段１５は、カメラ外部に配設されている後述の露出モードダイヤルの回転設定位置によっ露出制御モードを決める。
【００１５】
図２は、本発明による撮影情報設定装置を有するカメラの一実施形態を示す上面図及び側面図である。
【００１６】
図２において、ＬＣＤ７は、カメラ外部の上カバー２０の上面に配置される。コマンドダイヤル８は、上カバー２０の背面端面に配置される。シンクロモード釦２１は、シンクロスイッチ１１に連動する、露出モードダイヤル２２は、露出制御モードを選択する。露出モードダイヤル２２で選択可能な露出制御モードは、プログラムモード（Ｐモード）と、シャッタ優先モード（Ｓモード）、絞り優先モード（Ａモード）、マニュアルモード（Ｍモード）、及び全自動モード（ＡＵＴＯモード）である。露出モードダイヤル２２の上面には、各モードＰＳＡＭ及びＡＵＴＯを表す指標２２ａが記載され、上カバー２０上の指標２０ａに合せることでモード設定が可能となる。
【００１７】
内蔵閃光装置ケース２３内では、上カバーと一体に軸支された軸部２０ｂに、ケースアップ付勢バネ２４が巻き付かせてある。付熱バネ２４の一方の腕はケース２３に、他方の腕は上カバー２０にバネ掛けされている。係止部材２５は、ケース２３を格納位置で係止させる。図２（ｂ）に示すように、内蔵閃光装置駆動手段１３によって駆動されたポップアップマグネット１４が係止解除方向に作動すると、係止部材２５は反時計方向に回転する。電源ダイヤル２６及びレリーズ釦２７は、周知の電源ダイヤル及びレリーズ釦である。
【００１８】
図３はマイクロコンピュータ１の動作を説明するフローチャート、図４は図３に対応する表示ＬＣＤ７の動作状態を示す正面図である。
【００１９】
ステップＳ１では、表示ＬＣＤ７に通常の撮影情報を表示する（図４（ａ）参照）。ステップＳ２ではシンクロスイッチ１１（図１）がオンか否かを判断する。オンでない場合はステップＳ１に戻る。オンの場合はステップＳ３に移行する。
【００２０】
ステップＳ３では、アップ検出スイッチ１２（図１）がオンか否かを判断する。オンの場合は直ちにステップＳ５に移行する。オンでない場合はステップＳ４に移行し、内蔵閃光装置アップ駆動手段１３により内蔵閃光装置をポップアップ駆動した後にステップＳ５に移行する。
【００２１】
ステップＳ５では、シンクロスイッチ１１（図１）がオンか否かを判断する。オンでない場合はステップＳ１に戻る。オンの場合はステップＳ６に移行する。ステップＳ６では設定がシンクロモードであることを表示ＬＣＤ７に表示する（図４（ｂ）参照）。ステップＳ７では、コマンドダイヤル８が操作されたか否かを判断する。操作されなかったと判断した場合はステップＳ５に戻る。操作されたと判断した場合はステップＳ８に移行する。
【００２２】
ステップＳ８では、コマンドダイヤル８の回転方向を検出する。左回転の場合はステップＳ９に移行してシンクロモード設定を次のモードに設定変更してステップＳ５に戻る。右回転の場合はステップＳ１０に移行してシンクロモード設定を逆送りで次のモードに設定変更してステップＳ５に戻る。ステップＳ８及びＳ９では、表示ＬＣＤ７には図４（ｃ）〜図４（ｆ）のいずれかの表示が行われる。
【００２３】
このように本発明では、シンクロモード釦の操作（シンクロスイッチのオン）により、内蔵閃光装置をポップアップ駆動できるので、ポップアップ起動専用の操作部材を設ける必要はない。
【００２４】
図５はマイクロコンピュータ１の他の動作例を説明するフローチャート、図６は図５に対応する表示ＬＣＤ７の動作状態を示す正面図である。
【００２５】
図３及び図４の実施形態と異なる点は、ステップＳ１ａを付加して露出制御モードがＰＳＡＭモード以外のＡＵＴＯモードでは、内蔵閃光装置のポップアップ駆動は行わないで、直ちにステップＳ５に移行する点である。それ以外は図３及び図４の実施形態と同一であり、同じ構成部分には同じ参照番号を付して重複した説明を省略する。
【００２６】
尚、全自動モードでは、内蔵閃光装置は自動ポップアップ及び自動発光の機能を備えるので、図６の表示ＬＣＤ７におけるシンクロモードの表示中には、自動ポップアップ及び自動発光の機能を表す「ＡＵＴＯ」が表示される。
【００２７】
【発明の効果】
以上のように、本発明の撮影情報設定装置を有するカメラによれば、シンクロモード釦と内蔵閃光装置のポップアップ起動の操作部材とを同一の操作部材（１１）で兼用したので、スペース効率が向上し、カメラの小型化が達成できるとともに、構成部品点数の削減により安価なカメラが実現できる。
【００２８】
また、請求項２の発明によれば、シンクロモード釦とポップアップ起動の操作部材とを同一の操作部材で兼用したことにより、内蔵閃光装置をアップ使用位置にするために、操作部材（１１）を操作、押し込みしたままでコマンドダィヤル（８）を操作すれば、シンクロモードの設定／変更が可能となるので、操作性が向上し撮影情報設定の迅速化が図れる。
【００２９】
更に、請求項３の発明によれば、内蔵閃光装置のポップアップ起動が操作部材（１１）の操作によって起動される露出制御モードをモード選択していない場合は、起動部材はポップアップ起動の操作部材としては機能せず、従来通りのシンクロモード釦として設定操作の整合性が保たれるので使用勝手が良く、操作性の優れた撮影情報設定装置が実現できる。
【図面の簡単な説明】
【図１】本発明による撮影情報設定装置を有するカメラの一実施形態を示すブロック結線図である。
【図２】本発明による撮影情報設定装置を有するカメラの一実施形態を示す上面図及び側面図である。
【図３】本発明による撮影情報設定装置を有するカメラの一実施形態を示すフローチャートである。
【図４】本発明による撮影情報設定装置を有するカメラの一実施形態を示す正面図である。
【図５】本発明による撮影情報設定装置を有するカメラの一実施形態を示すフローチャートである。
【図６】本発明による撮影情報設定装置を有するカメラの一実施形態を示す正面図である。
【符号の説明】
１    マイクロコンピュータ
２    内蔵閃光制御回路
３    発光管
４    赤目軽減ランプ駆動回路
５    赤目軽減ランプ
６    表示制御回路
７    表示ＬＣＤ
８    コマンドダイヤル
９    ダイヤルスイッチ
１１    シンクロスイッチ
１２    アップ検出スイッチ
１３    内蔵閃光装置アップ駆動手段
１４    ポップアップマグネット
１５    露出制御モード設定手段
２０    上カバー
２０ａ  指標
２０ｂ  軸部
２１    シンクロモード釦
２２    露出モードダイヤル
２２ａ  指標
２３    内蔵閃光装置ケース
２４    ケースアップ付勢バネ
２５    係止部材
２６    電源ダイヤル
２７    レリーズ釦
【図１】
0004605418.tif 000002
【図２】
0004605418.tif 000003
【図３】
0004605418.tif 000004
【図４】
0004605418.tif 000005
【図５】
0004605418.tif 000006
【図６】
0004605418.tif 000007